(57)【特許請求の範囲】
【請求項１】
第１面に画像が形成された用紙を用紙搬送方向に複数の搬送手段を間隔を置いて設けた両面搬送路に受け入れた後に、その用紙を第２面に画像を形成するために前記搬送手段により再給紙する画像形成装置の両面装置において、
前記複数の搬送手段のうちの２つの搬送手段に対して、
前記両面搬送路に受け入れた用紙を前記２つの搬送手段の両者で共に挾持した状態で停止させる場合と、
前記用紙の後端部が前記２つの搬送手段の間に位置するように停止させる場合とに選択的に制御する両面用紙停止位置制御手段を設けたことを特徴とする画像形成装置の両面装置。
【請求項２】
請求項１記載の画像形成装置の両面装置において、用紙に厚紙を使用する際の厚紙モードを選択するための厚紙モード選択手段を設け、前記両面用紙停止位置制御手段は前記厚紙モード選択手段により厚紙モードが選択されたときに、前記両面搬送路に受け入れた用紙を後端部が前記２つの搬送手段の間に位置するように停止させる手段であることを特徴とする画像形成装置の両面装置。
【発明の詳細な説明】
【０００１】
【発明の属する技術分野】
この発明は、第１面に画像が形成された用紙を第２面に画像を形成するために両面搬送路に複数設けられている搬送ローラ等の搬送手段により再給紙する画像形成装置の両面装置に関する。
【０００２】
【従来の技術】
従来より、画像形成装置の作像部で第１面に画像が形成された用紙を、その第２面に画像を形成するために表裏を反転させた状態にして、再度作像系に向けて再給紙する両面装置がある（例えば特開平５−５３３９３号公報参照）。
このような両面装置には、表裏を反転させた用紙を、それぞれ対をなす搬送ローラと搬送コロとからなる搬送手段が用紙搬送方向に間隔を置いて複数設けられた両面搬送路で一端停止させた後に、それを再給紙するようにしたものがある。
【０００３】
【発明が解決しようとする課題】
しかしながら、このように用紙が両面搬送路において複数の対をなす搬送ローラと搬送コロの間に挾持された状態で停止される場合には、そのときの搬送ローラの停止タイミングによっては、用紙の後端が搬送ローラや搬送コロに微量に付着しているトナー等により汚れてしまうことがあった。
【０００４】
すなわち、図１１に示すように、両面搬送路７１にそれぞれ対をなす搬送ローラ７２，搬送コロ７３と、搬送ローラ７４，搬送コロ７５と、搬送ローラ７６，搬送コロ７７とが配設されていて、第１面（表面）に画像が形成された用紙Ｐが、その略中間部分が搬送ローラ７２と搬送コロ７３とにより、後端部Ｐｒが搬送ローラ７４と搬送コロ７５とによりそれぞれ挾持された状態で一旦停止されるようになっているときに、用紙Ｐの後端部Ｐｒに汚れが生じることがあった。
【０００５】
それは、搬送ローラ７２が停止した後も搬送ローラ７４が回転を続けているときに生じるものであり、この場合には用紙全体は搬送ローラ７２が回転を停止していることにより搬送が停止されているが、搬送ローラ７４は回転を続けているため、用紙Ｐの後端部Ｐｒは図１２に示すように搬送ローラ７４と搬送コロ７５とのニップを抜けるまで搬送される。
【０００６】
ところが、用紙Ｐの先端側は停止された状態にあるので、用紙Ｐは図示のように搬送ローラ７２と搬送ローラ７４との間に位置する部分が撓んだ状態になり、後端が用紙自身の持つ腰の強さにより回転している搬送ローラ７４と搬送コロ７５とのニップに接触した状態のままになる。
【０００７】
そのため、搬送ローラ７４や搬送コロ７５の表面に微量でもトナー等が付着していると、その汚れが用紙Ｐの後端部Ｐｒに擦り付けられるようになることにより、後端部Ｐｒが汚れてしまうということがあった。
そして、この用紙の後端部の汚れは、用紙の厚さが厚いものほど汚れやすいということがあった。
【０００８】
この発明は、上記の問題点に鑑みてなされたものであり、第１面に画像が形成された後に第２面に画像を形成するために再給紙される用紙の後端部が、両面搬送路に設けられている搬送手段で汚されないようにすることを目的とする。
【０００９】
【課題を解決するための手段】
この発明は上記の目的を達成するため、第１面に画像が形成された用紙を用紙搬送方向に複数の搬送手段を間隔を置いて設けた両面搬送路に受け入れた後に、その用紙を第２面に画像を形成するために上記搬送手段により再給紙する画像形成装置の両面装置において、上記複数の搬送手段のうちの２つの搬送手段に対して、上記両面搬送路に受け入れた用紙を上記２つの搬送手段の両者で共に挾持した状態で停止させる場合と、上記用紙の後端部が上記２つの搬送手段の間に位置するように停止させる場合とに選択的に制御する両面用紙停止位置制御手段を設けたものである。
【００１０】
また、上記画像形成装置の両面装置において、用紙に厚紙を使用する際の厚紙モードを選択するための厚紙モード選択手段を設け、上記両面用紙停止位置制御手段は厚紙モード選択手段により厚紙モードが選択されたときに、上記両面搬送路に受け入れた用紙を後端部が上記２つの搬送手段の間に位置するように停止させる手段であるようにするとよい。
【００１２】
【発明の実施の形態】
以下、この発明の実施の形態を図面に基づいて説明する。
図１はこの発明の基礎となる画像形成装置の搬送系と両面装置を制御系と共に示す概略構成図、図２は同じくその両面装置が装着された画像形成装置を示す全体構成図である。
【００１３】
図１に示す両面装置２は、第１面（表面）に画像が形成された用紙（転写紙）Ｐを用紙搬送方向に複数のそれぞれ対をなす搬送手段である搬送ローラ４１，搬送コロ４２と、搬送ローラ４３，搬送コロ４４と、搬送ローラ４５，搬送コロ４６とを間隔を置いて設けた両面搬送路１５に受け入れた後に、その用紙Ｐを第２面（裏面）に画像を形成するために搬送ローラ４１と搬送コロ４２とにより再給紙するものであり、図２に示すような画像形成装置の装置本体１内に設けられている。
【００１４】
その画像形成装置は、装置本体１内に設けている光学読取系３により読み取った画像データを基にして、光書込系４が作像系５に設けられている感光体６上に潜像を形成し、その潜像を作像系５の現像装置７がトナーにより可視像とする。
なお、後述する両面画像形成時（用紙の表裏の両面に画像を形成するモード）には、光学読取系３が読み取った画像データを予め記憶部に記憶しておき、その画像データを基にして、光書込系４が感光体６上に潜像を順次形成していく。
【００１５】
一方、装置本体１の下部に設けている給紙系８から用紙Ｐを給紙し、それを作像系５に搬送路１９を通して搬送し、感光体６上の可視像を用紙Ｐ上の正確な位置に転写する。
その用紙Ｐは、定着装置９に搬送され、そこで可視像（トナー像）が定着され、その後で図１に仮想線で示す揺動位置にある排紙分岐爪３３に案内されて直線搬送され、排紙ローラ対２０により装置本体１の外部の排紙トレイ１１に排出される。
【００１６】
あるいは、その用紙Ｐを表裏反転させてから排出する反転排紙、又は裏面にも画像を形成する両面画像形成を行う場合には、排紙分岐爪３３が図１に実線で示す揺動位置に揺動しているので、用紙Ｐは反転搬送路１２から両面装置２へ向けて搬送される。
【００１７】
すなわち、用紙Ｐを反転排紙する場合には、その用紙Ｐが反転搬送路１２に送り込まれ、それが両面装置２の両面トレイ１３に一旦搬送された後に進行方向が逆転されて、反転送り出し通路２３から図１に仮想線図示の両面分岐爪２８により反転排紙通路１４へ案内され、表裏が反転された状態で排紙トレイ１１上に排出される。
【００１８】
また、両面画像形成の場合には、反転搬送路１２に送り込まれた用紙Ｐは、同様に両面トレイ１３に一旦搬送された後に進行方向が逆転されて、今度は図１に実線図示の両面分岐爪２８に案内されて両面搬送路１５に搬送される。そして、その用紙Ｐは、再び図２に示した作像系５に送り込まれ、そこで裏面に画像が形成された後に、定着装置９からストレートに搬送されて排紙トレイ１１上に排出される。
【００１９】
次に、両面装置２について、詳しく説明する。
両面装置２は、図１に示すようにコロ支持軸１６に間隔を置いて複数のコロ１７が串状に取り付けられた搬送コロ１０と、複数の隣合うコロ１７の間に先端部(図で右方)側が入り込むように回動付勢された反転分岐爪１８と、その反転分岐爪１８により搬送コロ１０のコロ１７に押し付けられながら搬送されてその反転分岐爪１８を通過して両面トレイ１３上に搬送された用紙Ｐを、搬送コロ１０による搬送方向と逆の矢示Ａ方向に搬送する逆転駆動ローラ２１と逆転従動コロ２２とからなる反転搬送手段とを備えている。
【００２０】
逆転従動コロ２２は、図示しないソレノイドにより図１に実線で示す退避位置と仮想線で示す給紙位置とに移動するようになっており、用紙Ｐを両面トレイ１３上に受け入れるときには実線図示の退避位置に退避していて、その用紙Ｐを反転搬送（逆送）するときに仮想線図示の位置に下降する。
【００２１】
また、この両面装置２は、搬送コロ１０により搬送される用紙Ｐの後端が反転分岐爪１８の先端を通過すると、その反転分岐爪１８が図１で反時計回り方向に揺動する。そのため、その用紙Ｐが、逆転駆動ローラ２１と逆転従動コロ２２とにより進行方向が逆に変更されて反転搬送されると、それが反転分岐爪１８により案内されて反転送り出し通路２３へ搬送される。
【００２２】
その反転送り出し通路２３には、そこに送り込まれる用紙Ｐを図１で左方に搬送する両面駆動ローラ３１と、その両面駆動ローラ３１に圧接して従動回転する両面従動コロ３２とを設けている。また、その両面駆動ローラ３１の同図で左方側には、実線で示す位置と仮想線で示す位置とに揺動可能な両面分岐爪２８を設けている。
【００２３】
なお、この両面装置２は、両面トレイ１３の部分に、互いに接近・離間可能な対の位置規制サイドフェンス２９を設けており、それにより用紙Ｐの搬送方向に直交する紙幅方向の両側縁の位置を規制するようにしている。
また、この両面装置２は、反転分岐爪１８を通る用紙を検知する検知センサ２６を搬送コロ１０の用紙搬送方向上流側に設けている。その検知センサ２６は、例えば反射型のフォトセンサを使用する。
【００２４】
搬送ローラ４１，４３，４５は、それぞれ駆動側のローラであり、それらに従動側の搬送コロ４２，４４，４６がそれぞれ圧接している。
その搬送ローラ４１は、クラッチ５５を介して駆動系に連結されていて、そのクラッチ５５をオン・オフさせることにより単独で回転駆動させたり、それを停止させたりすることができるようになっている。
【００２５】
また、搬送ローラ４３と４５は駆動が連結されており、その一方の搬送ローラ４３（搬送ローラ４５側であってもよい）がクラッチ５６を介して駆動系に連結されている。したがって、そのクラッチ５６をオン・オフさせることにより搬送ローラ４３と４５を同時に回転駆動させたり、それらを停止させたりすることができるようになっている。
【００２６】
両面搬送路１５の搬送ローラ４１と４３の間には、検知センサ６１が配設されている。また、搬送ローラ４３と４５の間にも検知センサ６２が配設されている。さらに、搬送路１９上の対のレジストローラ３５の用紙搬送方向上流側にも検知センサ６３が配設されている。
なお、この検知センサ６１，６２及び６３は、例えば反射型のフォトセンサである。
【００２７】
また、この両面装置２は、両面搬送路１５に受け入れた用紙Ｐを、その後端部Ｐｒが複数の搬送ローラ４１，４３，４５のいずれにも接触しない位置に停止させる両面用紙停止位置制御手段として機能する制御装置５０を備えている。
すなわち、その制御装置５０は、両面搬送路１５に搬送された用紙Ｐが、その後端部Ｐｒが図１に示したように、対の搬送ローラ４３と搬送コロ４４のニップを過ぎて搬送ローラ４３や４１に接触しない図示の位置で停止するように、クラッチ５５，５６を制御する。
【００２８】
その制御装置５０は、各種判断及び処理機能を有する中央処理装置（ＣＰＵ）と、各処理プログラム及び固定データを格納したＲＯＭと、処理データを格納するデータメモリであるＲＡＭと、入出力回路(Ｉ/Ｏ）とからなる図３に示すようなマイクロコンピュータ５１を備えている。また、タイマ５２も備えている。
【００２９】
その制御装置５０は、検知センサ６１と６２から、それらが用紙を検知した際に出力する信号をそれぞれ入力する。また、その他のセンサ類からも、各種のセンサ信号を入力する。そして、この制御装置５０は、搬送ローラ４１を駆動させるためのクラッチ５５に対して、それを駆動させる信号を所定のタイミングで出力する。
また、搬送ローラ４３を駆動させるためのクラッチ５６に対しても、それを駆動させる信号を所定のタイミングで出力する。
さらに、その他の駆動系に対しても、それらを所定のタイミングで駆動させるための信号を、それぞれ出力する。
【００３０】
次に、図４乃至図８をも参照して、この画像形成装置における両面画像形成について、具体例を示して詳しく説明する。
この画像形成装置では、複数枚（この例では６枚以上の場合を説明する）の用紙の第１面と第２面の両方にそれぞれ画像を形成する両面画像形成を行う場合には、図４に示すように３枚の用紙Ｐ1 ，Ｐ2 ，Ｐ3 を連続させて給紙し、それぞれ第１面（表面）に目的とする画像を作像系５で形成する。
また、４枚目の用紙Ｐ4 も給紙するが、その先端が図１に示した再給紙下ガイド板３６と給紙右ガイド板３７との間に位置するところで一旦停止状態にする。
【００３１】
作像系５で第１面に画像が形成された３枚の用紙Ｐ1 ，Ｐ2 ，Ｐ3 は、順次両面装置２に搬送され、表裏が反転されて両面搬送路１５に搬送されるが、その際に１枚目の用紙Ｐ1 は両面搬送路１５内で停止されずにそのまま再給送され、作像系５で第２面（裏面）に画像が形成された後にストレート排紙で排紙トレイ１１上に排出される。
そして、その１枚目の用紙Ｐ1 の後端を検知センサ６３が検知したタイミングで、再給紙下ガイド板３６と給紙右ガイド板３７との間で待機していた４枚目の用紙Ｐ4 の給送が再開される。
【００３２】
一方、両面搬送路１５内に搬送された２枚目の用紙Ｐ2 は、図５に示すようにその先端が検知センサ６１により検知されると、それから予め設定されている一定時間経過した後にクラッチ５５（図３）により搬送ローラ４１への回転力が遮断されることにより停止する。
また、３枚目の用紙Ｐ3 は、その先端が検知センサ６２により検知されると、それから予め設定されている一定時間経過した後にクラッチ５６（図３）により搬送ローラ４３，４５への回転力が遮断されることにより停止する。
【００３３】
そして、第１面に画像を形成する４枚目の用紙Ｐ4 の後端を検知センサ６３が検知すると、そのタイミングで両面搬送路１５上で停止状態にあった２枚目の用紙Ｐ2 の給送が再開される。また、３枚目の用紙Ｐ3 は、２枚目の用紙Ｐ2 の給送再開後に給送が再開され、その先端が検知センサ６１により検知されると、それから予め設定されている一定時間経過した後にクラッチ５５により搬送ローラ４１への回転力が遮断されることにより停止する（第６図参照）。
【００３４】
このとき、５枚目の用紙Ｐ5 は、前述した４枚目の用紙Ｐ4 のときと同様に、その先端が再給紙下ガイド板３６と給紙右ガイド板３７との間に位置するところで一旦停止した状態にある。
第２面に画像を形成する２枚目の用紙Ｐ2 の後端を検知センサ６３が検知すると、そのタイミングで再給紙下ガイド板３６と給紙右ガイド板３７との間で待機していた５枚目の用紙Ｐ5 の給送が再開される。
【００３５】
そして、その５枚目の用紙Ｐ5 の後端を検知センサ６３が検知すると、そのタイミングで両面搬送路１５上で停止状態にあった３枚目の用紙Ｐ3 の給送が再開される。
次に、６枚目の用紙Ｐ6 が給紙されて再給紙下ガイド板３６と給紙右ガイド板３７との間で一旦停止され、第２面に画像を形成する３枚目の用紙Ｐ3 の後端を検知センサ６３が検知すると、そのタイミングで再給紙下ガイド板３６と給紙右ガイド板３７との間で待機していた６枚目の用紙Ｐ6 の給送が再開される。
【００３６】
なお、このときには、図７に示すように両面搬送路１５内に既に４枚目の用紙Ｐ4 が、その先端が検知センサ６１により検知されてから一定時間経過した後にクラッチ５５により搬送ローラ４１への回転力が遮断されることにより、図示の所定の位置に停止している。
【００３７】
そして、それ以降は、６枚目の用紙Ｐ6 の後端を検知センサ６３が検知すると、両面搬送路１５上の４枚目の用紙Ｐ4 が給送され、以後７枚目以降の用紙Ｐ7 が同様に給紙されていく。
そして、これら２枚目以降の用紙についても、第２面に画像が形成された後は全てストレート排紙されて、排紙トレイ１１上に排出されていく。
【００３８】
このように、この画像形成装置では、複数枚の用紙を両面画像形成する際には上述したような動作で両面画像形成が行われていくが、その際に各用紙が図２に示した作像系５の感光体６を通過していく順を示したものが図８である。
すなわち、この画像形成装置で複数枚の用紙に両面画像形成を行うと、１枚目から３枚目の用紙Ｐ1 〜Ｐ3 が連続して感光体６に搬送されで第１面（表面）の画像形成がそれぞれ行われ、次に１枚目の用紙Ｐ1 の第２面（裏面）の画像形成が行われる。
【００３９】
その後は、４枚目の用紙Ｐ4 の第１面（表面）の画像形成が行われ、次に２枚目の用紙Ｐ2 の第２面（裏面）の画像形成が行われる。
以下、次の順で画像形成が行われる。すなわち、５枚目の用紙Ｐ5 の第１面（表面）→３枚目の用紙Ｐ3 の第２面（裏面）→６枚目の用紙Ｐ6 の第１面（表面）→４枚目の用紙Ｐ4 の第２面（裏面）→７枚目の用紙Ｐ7 の第１面（表面）……。
【００４０】
以上説明したように、この画像形成装置では両面画像形成を行った際に、２枚目以降の各用紙Ｐは両面搬送路１５内で一旦停止状態になるが、その際に搬送ローラ４１は２枚目以降の用紙の先端を検知センサ６１が検知してから予め設定されている一定時間経過した後に停止する。
しかしながら、その用紙搬送方向下流側に位置する搬送ローラ４３と４５は、次の用紙の先端を検知センサ６２が検知してから予め設定されている一定時間経過するまでは回転を続ける。
【００４１】
したがって、このような構成の場合には、図１２で説明したように、用紙の後端部が回転を続けている搬送ローラに接触した状態のまま搬送が停止されると、その回転を続けている搬送ローラの表面に微量でもトナー等が付着していた場合には、その汚れが用紙の後端部に擦り付けられることによって、その後端部が汚れやすいということがあった。
【００４２】
しかしながら、この両面装置２では、上述したように、図１に示した搬送ローラ４１と搬送コロ４２とで用紙Ｐが挾持された状態で搬送が停止されたときには、その用紙Ｐは後端部Ｐｒが搬送ローラ４３に接触しない位置で停止されるので、その後端部Ｐｒの汚れを防止することができる。
【００４３】
図９はこの発明による画像形成装置の両面装置の実施の形態を示す図３と同様なブロック図であり、図３と対応する部分には同一の符号を付してある。
この実施の形態による両面装置は、用紙に厚紙を使用する際の厚紙モードを選択するための厚紙モード選択手段である厚紙モード選択キー２７を設け、両面用紙停止位置制御手段として機能する制御装置５０′が、厚紙モード選択キー２７により厚紙モードが選択されたときに、図１で説明した両面搬送路１５に受け入れた用紙Ｐを、その後端部Ｐｒが複数の搬送ローラ４１，４３，４５のいずれにも接触しない位置に停止させるように制御する点が、図１で説明した両面装置２と異なる。
【００４４】
そして、厚紙モード選択キー２７により厚紙モードが選択されなかったときには、制御装置５０′は両面搬送路１５に受け入れた用紙Ｐを、搬送ローラ４１，搬送コロ４２と、搬送ローラ４３，搬送コロ４４（図１参照）の両者で挾持した状態で停止させるようにクラッッチ５５，５６の動作を制御する。
【００４５】
このようにすれば、後端部が汚れやすい厚紙の用紙のときは厚紙モードを選択すれば、用紙の後端部が搬送ローラ４３に接触しない位置で停止されることにより、後端部が汚れるのを防止することができる。
【００４６】
また、比較的薄い用紙の場合には、厚紙モードを選択しなければ、用紙は搬送ローラ４１，搬送コロ４２と、搬送ローラ４３，搬送コロ４４の両者で挾持された状態で停止されるので、搬送ローラ４１と搬送コロ４２だけで用紙を挾持して停止させるようにしているときにはクラッチ５５の切れが悪いと、搬送ローラ４１の停止タイミングが遅れることにより用紙の停止位置がずれて搬送不良が起きてしまう恐れがあるが、この実施の形態による両面装置によれば、用紙の後端部Ｐｒを搬送ローラ４３と搬送コロ４４とで挾持して停止させるので、用紙の位置ずれを防止することができるため搬送不良を回避することができる。
なお、厚紙モード選択キー２７は、例えば装置外部の操作パネル等に設ける。
【００４７】
図１０はこの発明による画像形成装置の両面装置の異なる他の実施の形態を示す図３と同様なブロック図であり、図３と対応する部分には同一の符号を付してある。
この実施の形態による両面装置は、両面搬送路１５に受け入れた用紙Ｐの後端部Ｐｒも含む複数箇所に同時に搬送ローラ４１，搬送コロ４２と、搬送ローラ４３，搬送コロ４４を接触させた状態で、その搬送ローラ４１と４３を同時に停止させる制御装置５０″を設けている。
すなわち、この実施の形態では、制御装置５０″が搬送手段同時停止制御手段として機能する。
【００４８】
この両面装置によれば、両面搬送路１５において一時的に停止される用紙Ｐは、搬送ローラ４１，搬送コロ４２と、搬送ローラ４３，搬送コロ４４とに共に接触した状態で停止されるが、その搬送ローラ４１と４３は同時に停止されるようにクラッチ５５，５６が制御されるので、用紙Ｐの後端部Ｐｒに搬送ローラ４３の汚れが擦り付けられるのを防止することができる。
【００４９】
【発明の効果】
以上説明したように、この発明によれば、次に記載する効果を奏する。
請求項１の画像形成装置の両面装置によれば、両面搬送路に送り込まれた用紙は、その後端部が複数の搬送手段のいずれにも接触しない位置に停止させることができるので、その後端部が搬送手段に付着したトナー等により汚れるのを防止することができる。
【００５０】
請求項２の画像形成装置の両面装置によれば、用紙に厚紙を使用するときには厚紙モード選択手段により厚紙モードを選択するだけで、両面搬送路に送り込まれた厚紙の用紙を、その後端部が２つの搬送手段の間に位置するように停止させることができるので、その後端部が汚れるのを防止することができる。
【図面の簡単な説明】
【図１】  この発明の基礎となる画像形成装置の搬送系と両面装置を制御系と共に示す概略構成図である。
【図２】同じくその両面装置が装着された画像形成装置を示す全体構成図である。
【図３】図１の制御系とその関連構成を示すブロック図である。
【図４】図２の画像形成装置で両面画像形成を行った際に４枚目の用紙まで給紙された状態を示す概略図である。
【図５】同じくその画像形成装置で１枚目の用紙が第１面に画像形成された後に第２面に画像を形成するために作像部に再給紙された状態を示す概略図である。
【図６】同じくその画像形成装置で６枚目の用紙まで給紙された状態を示す概略図である。
【図７】同じくその画像形成装置で７枚目の用紙まで給紙された状態を示す概略図である。
【図８】同じくその両面画像形成が行われていく際に各用紙が感光体を通過していく順を示した説明図である。
【図９】  この発明による画像形成装置の両面装置の実施の形態を示す図３と同様なブロック図である。
【図１０】  この発明による画像形成装置の両面装置の異なる他の実施の形態を示す図３と同様なブロック図である。
【図１１】両面搬送路で用紙の中間部分と後端部がそれぞれ搬送ローラと搬送コロとにより挾持されて停止される例を示す概略図である。
【図１２】図１１のような構成のときに用紙の後端部を挾持している搬送ローラと搬送コロとが回転しているとその用紙の後端部が汚れてしまう様子を説明するための概略図である。
【符号の説明】
２：両面装置          １５：両面搬送路
２７：厚紙モード選択キー（厚紙モード選択手段）
４１，４３，４５：搬送ローラ（搬送手段）
４２，４４，４６：搬送コロ（搬送手段）
５０，５０′，５０″：制御装置
Ｐ：用紙
【図１】
0003813383.tif 000002
【図２】
0003813383.tif 000003
【図３】
0003813383.tif 000004
【図４】
0003813383.tif 000005
【図５】
0003813383.tif 000006
【図６】
0003813383.tif 000007
【図７】
0003813383.tif 000008
【図８】
0003813383.tif 000009
【図９】
0003813383.tif 000010
【図１０】
0003813383.tif 000011
【図１１】
0003813383.tif 000012
【図１２】
0003813383.tif 000013